【手続補正書】
【提出日】平成27年8月6日(2015.8.6)
【手続補正１】
【補正対象書類名】特許請求の範囲
【補正対象項目名】全文
【補正方法】変更
【補正の内容】
【特許請求の範囲】
【請求項１】
小型支持棒に対して頑丈かつ固着係合を得るが、しかしながら、容易な除去に好適であるように、迅速および容易な搭載を促進するが、前記インプラント用取り外し可能ブリッジを固定して支持する方式において、小型支持棒を覆うインプラント用取り外し可能ブリッジの剛性着脱可能台座のために構成され、ひいては、個人の顎骨に固定して固着するように構成される、取り外し可能歯科インプラント用ブリッジシステムであって、前記小型支持棒は、前記インプラント用取り外し可能ブリッジの歯を模倣する部分する部分とともに実質的に受容され、前記小型支持棒は、少なくともその唇側面および底部面に、波状彎入を伴って構成される、システム。
【請求項２】
前記インプラント用取り外し可能ブリッジは、前記個人の頬側歯肉部を模倣し、それと融合する、波状彎入歯肉帯を伴って構成される、請求項１に記載の取り外し可能歯科インプラント用ブリッジシステム。
【請求項３】
係止配列が、前記インプラント用取り外し可能ブリッジを前記小型支持棒に取り外し可能に係止するために提供され、任意の１つ以上のタイプの１つ以上の係止部を備える、請求項１に記載の取り外し可能歯科インプラント用ブリッジシステム。
【請求項４】
前記小型支持棒は、前記インプラント用取り外し可能ブリッジのある縮尺で成形される、請求項１に記載の取り外し可能歯科インプラント用ブリッジシステム。
【請求項５】
拡大した位置付け場所が、前記小型支持棒に沿って、固定具拘束部位と対応する場所に延在し、前記位置付け場所は、前記インプラント用取り外し可能ブリッジの対応する歯冠部分に延在する、請求項１に記載の取り外し可能歯科インプラント用ブリッジシステム。
【請求項６】
前記小型支持棒は、複数の位置付け場所を伴って構成され、近隣の位置付け場所は、一体型梁によって接続され、前記梁は、縮小サイズであって、前記インプラント用取り外し可能ブリッジは、前記小型支持棒の少なくとも位置付け場所を覆う厳密な公差の取り付けのために構成される、請求項５に記載の取り外し可能歯科インプラント用ブリッジシステム。
【請求項７】
前記インプラント用取り外し可能ブリッジは、フランジ付きスカート部分を欠いており、さらに、組み立てられた位置では、前記インプラント用取り外し可能ブリッジは、前記個人の天然歯肉を覆って乗設またはそれと近接して延在するために構成される、請求項１に記載の取り外し可能歯科インプラント用ブリッジシステム。
【請求項８】
狭小遷移波状彎入歯肉帯が、前記インプラント用取り外し可能ブリッジの唇側底部縁に構成される、請求項１に記載の取り外し可能歯科インプラント用ブリッジシステム。
【請求項９】
前記小型支持棒の前記波状彎入パターンの底部部分は、前記インプラント用取り外し可能ブリッジに形成される前記個人の歯肉および歯の解剖学的形状と適合するように成形され、前記インプラント用取り外し可能ブリッジの底部の起伏パターン間に見えない、請求項１に記載の取り外し可能歯科インプラント用ブリッジシステム。
【請求項１０】
上層構造が、前記インプラント用取り外し可能ブリッジ内に完全に延在し、底部表面と、そこから延在する側壁を伴って構成され、搭載位置では、前記上層構造の側壁の少なくとも一部は、前記小型支持棒の個別の側壁を覆うように表面接触して支承する、請求項１に記載の取り外し可能歯科インプラント用ブリッジシステム。
【請求項１１】
前記搭載位置において、少なくとも、前記インプラント用取り外し可能ブリッジの前記底部表面の一部および前記側壁の一部は、前記小型支持棒の対応する上部表面および側壁を覆うように表面接触して支承する、請求項１０に記載の取り外し可能歯科インプラント用ブリッジシステム。
【請求項１２】
前記波状彎入歯肉帯の波状彎入パターンは、前記インプラント用取り外し可能ブリッジの波状彎入パターンと同じ広さに延在し、ともに、前記波状彎入パターンは、前記個人の歯肉の解剖学的形状に整合し、それと融合する、請求項８に記載の取り外し可能歯科インプラント用ブリッジシステム。
【請求項１３】
前記インプラント用取り外し可能ブリッジの上層構造および前記小型支持棒は、その個別の側壁が、挿入経路に平行であるか、または約０°〜３０°の角度で延在するかのいずれかであるように構成される、請求項１に記載の取り外し可能歯科インプラント用ブリッジシステム。
【請求項１４】
後退／抜去ピン型係止部が、咬合の間、前記インプラント用取り外し可能ブリッジを通して印加される負荷が、前記小型支持棒によって完全に担われ、前記固定具に伝えられるように使用され、前記係止部は、実質的に、いかなる剪断力も受けない、請求項３に記載の取り外し可能歯科インプラント用ブリッジシステム。
【請求項１５】
前記小型支持棒は、前記インプラント用取り外し可能ブリッジと係止係合するために、係止部分を伴って構成され、前記少なくとも１つの係止部分のうちの少なくとも１つは、前記小型支持棒を支持する固定具と位置合わせされて構成され、それによって、負荷は、直接、前記個別の固定具に印加される、請求項３に記載の取り外し可能歯科インプラント用ブリッジシステム。
【請求項１６】
前記係止部分は、前記小型支持棒の前記位置付け場所および／または前記梁に構成されることができる、請求項３に記載の取り外し可能歯科インプラント用ブリッジシステム。
【請求項１７】
取り出し穴が、前記小型支持棒およびインプラント用取り外し可能ブリッジにわたって延在し、前記統合された上層構造を通して位置合わせされ、前記軸方向に変位可能係止ピンと同軸であって、前記ピンをその非係止位置に変位させる補助をする、請求項３に記載の取り外し可能歯科インプラント用ブリッジシステム。
【請求項１８】
狭小間隙が、前記小型支持棒の前記波状彎入底部表面と前記歯肉との間に延在する、請求項１に記載の取り外し可能歯科インプラント用ブリッジシステム。
【請求項１９】
取り外し可能歯科インプラント用ブリッジシステムであって、個人の顎骨に固着された固定具の頭部部分を覆って固定して固着するための小型支持棒であって、前記小型支持棒は、インプラント用取り外し可能ブリッジの歯冠部分内に嵌合するように定寸され、少なくともその唇側面および底部面に、波状彎入を伴って構成される、小型支持棒と、個人の歯科パラメータと概ね適合する、インプラント用取り外し可能ブリッジであって、前記インプラント用取り外し可能ブリッジ内に完全に延在する上層構造を伴って構成され、前記上層構造は、前記小型支持棒の少なくとも一部を覆って、高公差でぴったりと嵌合するように成形および構成される、インプラント用取り外し可能ブリッジと、前記インプラント用取り外し可能ブリッジを前記小型支持棒に取り外し可能に係止するための係止配列であって、前記インプラント用取り外し可能ブリッジを前記小型支持棒に着脱可能に係止するための１つ以上の係止部を備える、係止配列とを備える、システム。
【請求項２０】
個人の歯科パラメータと概ね適合する、インプラント用取り外し可能ブリッジであって、受容開口とともに形成され、前記インプラント用取り外し可能ブリッジの歯冠部分内に完全に延在する上層構造を伴って構成される、前記ブリッジで、、前記上層構造は、前記個人の顎骨に固定して固着される小型支持棒を覆って、高公差でぴったりと嵌合するように成形および構成されるが、しかしながら、容易かつ簡単な除去のために構成され、前記上層構造は、少なくともその唇側面に、波状彎入パターンを伴って構成され、前記小型支持棒の少なくとも個別の部分に適合する、ブリッジ。
【請求項２１】
直接固定具を覆って、または間接的にアバットメントを覆って、個人の顎骨に固定して固着するための小型支持棒であって、前記小型支持棒は、インプラント用取り外し可能ブリッジの歯冠部分内に完全に延在する上層構造内に高公差でぴったりと嵌合するために成形および構成され、少なくともその唇側面および底部面に、波状彎入を伴って構成される、小型支持棒。